(57)【要約】【課題】  ２つの筐体を重ね合わせることが可能な携帯電子機器であって、デザイン上の制約となるスピーカの放音口が外観上目立たず、かつ、スピーカから出力される音を使用者が聞き取り易い携帯電子機器を提供する。【解決手段】  一端に突出部３６を有する第１の筐体３３と、一端に凹状の切欠部４０を有する第２の筐体３４とを有し、突出部３６を切欠部４０に嵌入し、切欠部４０と突出部３６とを回転連結することで２つの筐体３３、３４を開閉可能に構成した携帯電子機器であって、突出部３６にはスピーカ５８の放音口４７を形成した放音面５０を備え、放音面５０の少なくとも一部は、２つの筐体３３、３４が開状態にあるとき、第１の筐体３３と向かい合う第２の筐体３４の対向面側に露呈し、かつ２つの筐体３３、３４が閉状態にあるときに、第２の筐体３４の対向面と反対にある背面側であって、背面に対して斜めに露呈するように配したことを特徴とする。【選択図】  図１
2006101124.tif 000002
【特許請求の範囲】
【請求項１】
一端に突出部を有する第１の筐体と、一端に凹状の切欠部を有する第２の筐体とを有し、前記突出部を前記切欠部に嵌入し、当該切欠部と前記突出部とを回転連結することで前記２つの筐体を開閉可能に構成した携帯電子機器であって、
前記突出部にはスピーカの放音口を形成した放音面を備え、当該放音面の少なくとも一部は、前記２つの筐体が開状態にあるとき、前記第１の筐体と向かい合う第２の筐体の対向面側に露呈し、かつ前記２つの筐体が閉状態にあるときに、前記第２の筐体の対向面と反対にある背面側であって、該背面に対して斜めに露呈するように配したことを特徴とする携帯電子機器。
【請求項２】
前記突出部は、前記２つの筐体が開状態にあるときに第２の筐体の対向面と略同一平面を形成する第１の面を有し、当該第１の面に前記放音面の少なくとも一部を形成したことを特徴とする請求項１に記載の携帯電子機器。
【請求項３】
前記第１の筐体の一端内にスピーカを備え、該スピーカと放音面との間に導音部を配したことを特徴とする請求項１又は請求項２に記載の携帯電子機器。
【請求項４】
前記スピーカ及び前記導音部は、弾性体を介して前記第１の筐体内に挟持してあることを特徴とする請求項３に記載の携帯電子機器。
【発明の詳細な説明】
【技術分野】
【０００１】
本発明は、２つの筐体を相互に折り畳み可能に連結した携帯電話機、ＰＤＡ（Ｐｅｒｓｏｎａｌ  Ｄｉｇｉｔａｌ  Ａｓｓｉｓｔａｎｔｓ）等の携帯電子機器に関する。
【背景技術】
【０００２】
近年、携帯電話機、ＰＤＡ等の携帯可能な携帯電子機器として、ヒンジ連結部によって基準軸線を中心に２つの筐体を相互に回動させて折り畳み可能に連結した折り畳み型の携帯電子機器が提供されている。
一般に、この種の折り畳み型の携帯電話機では、音声、呼出音、アラーム音等を出力するスピーカの放音口が、操作部や表示部を有する筐体の背面側に設けられている。この構成の携帯電話機では、放音口が設けられた背面側を載置面として卓上に置かれた場合に放音口が塞がれてしまうので、スピーカから音が出力されても使用者には聞こえにくいといった問題があった。また、上記構成の携帯電話機では、外観デザインの主要部となる筐体の一部に放音口が形成されるため、デザインを構成する上で大きな制約となっていた。特に、近年、携帯電子機器の分野では、他の機器との差別化を図る上で外観デザインが特に重要視されており、デザイン上の制約となるスピーカの放音口が外観上目立たないように形成された携帯電子機器が要求されている。
【０００３】
そこで、放音口が２つの筐体の対向面側、すなわち、表示部や操作部を配した面側に形成された携帯電話機が提供されている（例えば、特許文献１参照。）。図７に、筐体の対向面側に放音口が設けられた携帯電話機の一例を示す。携帯電話機１は、第１の筐体３と第２の筐体４とで構成され、第１の筐体３と第２の筐体４とは連結部５で回動可能に連結されている。折り畳んだ際に第２の筐体４と向かい合う第１の筐体３の対向面３ａには、液晶や有機ＥＬを用いた表示パネルで構成された表示部６と受話スピーカ及び呼出音スピーカとして機能するスピーカの放音口７とが設けられており、第１の筐体３の端部には、アンテナ８と着信ランプ１１が備えられている。折り畳んだ際に第１の筐体と向かい合う第２の筐体４の対向面４ａには、操作部１２とマイクロフォンの集音孔１３とが設けられている。
【０００４】
上記の構成の携帯電話機１は、連結部５の回動により開閉される。上記の構成の携帯電話機１においては、２つの筐体３、４が開いた状態では、第１の筐体３の対向面３ａに形成された表示部６及び第２の筐体４の対向面４ａに形成された操作部１２が露呈され、２つの筐体３、４が折り畳まれる閉じた状態では、第１の筐体３の対向面３ａと第２の筐体４の対向面４ａが互いに向かい合い、第１の筐体３及び第２の筐体４の背面が外部から視認され、外観デザインの主要部とされる。
【０００５】
上記の構成の携帯電話機１は、２つの筐体３、４が開いた状態とされて、表示部６を見ながら操作部１２を使用してメール送信やゲーム等の操作が行われ、マイクロフォンの集音孔１３と受話スピーカの放音口７を使用しての通話等が行われる。また、上記の構成の携帯電話機１では、２つの筐体３、４が閉じた状態とされて、テーブルや棚等の上での保管、ポケットやカバン等での携帯、充電器への接続等が行われる。
上記の構成の携帯電話機１においては、スピーカの放音口７が筐体の背面側に形成されていないので、携帯電話機が閉じた状態のときにも放音口７が外観上視認されず、デザインを構成する上で制約が少ないものである。
【特許文献１】特開平１０−２２４８６１号公報
【発明の開示】
【発明が解決しようとする課題】
【０００６】
ところで、上記の構成の携帯電話機１においては、第１の筐体３と第２の筐体４とが閉じた状態のときには、第１の筐体３の対向面３ａに形成された放音口７が、第２の筐体４の対向面４ａにより塞がれてしまうので、スピーカから出力される音が使用者に聞こえにくいといった問題点があった。
この発明は、上述した事情に鑑みてなされたもので、２つの筐体を重ね合わせることが可能な携帯電子機器であって、デザイン上の制約となるスピーカの放音口が外観上目立たず、かつ、スピーカから出力される音を使用者が聞き取り易い携帯電子機器を提供することを目的とするものである。
【課題を解決するための手段】
【０００７】
上記目的を達成するために、この発明は以下の手段を提案している。
本発明に係る携帯電子機器は、一端に突出部を有する第１の筐体と、一端に凹状の切欠部を有する第２の筐体とを有し、前記突出部を前記切欠部に嵌入し、当該切欠部と前記突出部とを回転連結することで前記２つの筐体を開閉可能に構成した携帯電子機器であって、前記突出部にはスピーカの放音口を形成した放音面を備え、当該放音面の少なくとも一部は、前記２つの筐体が開状態にあるとき、前記第１の筐体と向かい合う第２の筐体の対向面側に露呈し、かつ前記２つの筐体が閉状態にあるときに、前記第２の筐体の対向面と反対にある背面側であって、該背面に対して斜めに露呈するように配したことを特徴とする。
また、本発明に係る携帯電子機器は、前記突出部は、前記２つの筐体が開状態にあるときに第２の筐体の対向面と略同一平面を形成する第１の面を有し、当該第１の面に前記放音面の少なくとも一部を形成したことを特徴とする。
また、本発明に係る携帯電子機器は、前記第１の筐体の一端内にスピーカを備え、該スピーカと放音面との間に導音部を配したことを特徴とする。
また、本発明に係る携帯電子機器は、前記スピーカ及び導音部は、弾性体を介して前記第１の筐体内に挟持してあることを特徴とする。
【発明の効果】
【０００８】
本発明によれば、スピーカの放音面が筐体の背面と同じ方向に向けて形成されていないので、デザイン上の制約となる放音口が外観上目立たなくなる。
また、第１の筐体と第２の筐体とが開いた状態とされたときには、放音口が形成された放音面の一部が、第２の筐体の対向面側に露呈され、放音口が使用者に向けて配置されるため、使用者がスピーカから出力される音を確実に聞くことができる。また、第１の筐体と第２の筐体とが閉じた状態とされたときには、放音口が形成された放音面の一部が、第２の筐体の背面側であって、この背面に対して斜めに露呈されるので、スピーカから出力される音を使用者が確実に聞くことができる。
したがって、デザイン上の制約となるスピーカの放音口が外観上目立たず、かつ、スピーカから出力される音を使用者が聞き取り易い携帯電子機器を提供することができる。
【発明を実施するための最良の形態】
【０００９】
本発明の実施形態について説明する。
図１から図６は、本発明に係る一実施形態を示しており、ここで説明する実施の形態は、この発明を携帯電話機に適用した場合のものである。
【００１０】
図１から図３に示すように、携帯電話機３１は、第１の筐体３３と、この第１の筐体３３の厚さ方向に重ねあわせ可能な第２の筐体３４とで構成されており、第１の筐体３３と第２の筐体３４が開閉可能に連結されている。
第１の筐体３３には、２つの筐体３３，３４を相互に重ね合わせて閉じた状態で、第２の筐体３４に対向する第１の筐体３３の対向面３３ａに、各種情報を表示する液晶や有機ＥＬを用いた表示パネルからなるメイン表示部３５が配されるとともに、対向面３３ａから突出する突出部３６が形成されている。この突出部３６は、第２の筐体３４との連結部分に位置する第１の筐体３３の一端に配されている。また、対向面３３ａの反対側に位置する第１の筐体３３の背面３３ｂには、各種情報を表示する液晶や有機ＥＬを用いた表示パネルからなるサブ表示部３３ｃが配されている。このサブ表示部３３ｃは、２つの筐体３３、３４の開閉状態に関わらず外方に露出している。
【００１１】
第２の筐体３４は、操作部３８とマイクロフォンの集音孔３９とを有するとともに、第１の筐体３３に形成された突出部３６を収容する平面視略コ字状の切欠部４０を有している。操作部３８は、２つの筐体３３、３４を相互に重ね合わせて閉じた状態で、第１の筐体３３に対向する第２の筐体３４の対向面３４ａに配されており、通話キー、終話キー、カーソルキー、テンキー等、各種の押圧可能な複数の操作キーから構成されている。また、切欠部４０は、第１の筐体３３との連結部分に位置する第２の筐体３４の一端に形成されている。
【００１２】
第１の筐体３３と第２の筐体３４は、第１の筐体３３に形成された突出部３６が第２の筐体３４に形成された切欠部４０に嵌入されて軸線Ｌを中心に回動可能とした連結部４２により、折り畳み可能に連結されている。なお、突出部３６は、第２の筐体３４の背面３４ｂと接する面４３との間に空隙部４４が形成されるように配置されている。
表示部３６は、２つの筐体３３、３４が開いた状態のときに、第２の筐体３４の対向面３４ａと略同一平面を形成する平面状の第１面４５と、第１面４５と隣接して対向面３３ａ側を向く第２面４６とを有し、これら第１面及び第２面４５、４６には、放音口４７が設けられ、放音面５０が構成されている。
【００１３】
次に内部構造について説明する。
図５、図６に示すように、第１の筐体３３は背面カバー５６と対向面カバー５７との嵌合によって構成されており、これらの間には、スピーカ５８が配されている。スピーカの背面カバー５６側には、ポリウレタンで構成された円盤状のスポンジ６１が配置され、対向面カバー５７側には、ポリウレタンで構成された環状のスポンジ６２が配置されている。環状のスポンジ６２の対向面カバー５６側には、樹脂材料で構成された導音部材６３が備えられており、導音部材６３は、ポリウレタンで構成されたスポンジ６５で囲繞されている。このように、背面カバー５６と対向面カバー５７との間には、円盤状のスポンジ６１、スピーカ５８、環状のスポンジ６２、導音部材６３、スポンジ６５が相互に重ね合わされた状態で挟装されている。
対向面カバー５７には、放音面５０が設けられ、放音面５０の内部側には、音孔６７が形成されている。導音部材６３の導音孔は、スピーカ５８側に拡開され、放音面５０に向けて縮開されている。
【００１４】
上記の構成の携帯電話機３１は、２つの筐体３３，３４が開いた状態とされて、メイン表示部３５及び操作部３８が露呈され、メイン表示部３５を見ながら操作部３８の操作キーを押圧してメール送信やゲーム等の操作や通話等が行われる。また、上記の構成の携帯電話機３１では、２つの筐体３３，３４が閉じられた状態とされて、テーブルや棚等の上での保管、ポケットやカバン等での携帯、充電器への接続等が行われる。
【００１５】
上記の構成の携帯電話機３１においては、２つの筐体３３，３４が開いた状態のときには、図１、図６に示すように、突出部３６の第１面４５に形成された放音面５０が、第２の筐体３４の対向面３４ａと略同一平面を形成するように配置される。
また、上記の構成の携帯電話機３１においては、２つの筐体３３，３４が閉じた状態のときには、図４、図５に示すように、突出部３６が切欠部４０に収納され、突出部３６の第２面４６に形成された放音面５０が切欠部４０によって包囲されるとともに、突出部３６の第１面４５に形成された放音面５０は第２の筐体３４の背面３４ｂ側であって、この背面３４ｂに対して斜めに露呈される。
【００１６】
上記の構成の携帯電話機３１においては、２つの筐体３３，３４を開いた状態で使用した場合には、放音面５０が使用者側を向いているので、スピーカ５８から出力される音を使用者が確実に聞き取ることができる。また、上記の構成の携帯電話機３１においては、放音面５０が突出部３６の第１面４５及び第２面４６に形成されているので、スピーカ５８から出力される音が大きく広がり、使用者が聞き取りやすくなっている。
また、上記の構成の携帯電話機３１においては、２つの筐体３３，３４が閉じた状態のときには、突出部３６が切欠部４０に収納され、突出部３６の第１面４５に形成された放音面５０が切欠部４０の内側を向くため、図２、図３に示すように、外観上、放音面５０に形成された放音口４７が外部から視認されにくい。
【００１７】
また、上記の構成の携帯電話機３１においては、２つの筐体３３，３４が閉じた状態のときには、放音面５０は切欠部４０を通じて第２の筐体３４の背面３４ｂ側に露呈されており、スピーカ５８から出力される音が外部に確実に伝えられ、使用者が音を確実に聞くことができる。また、上記の構成の携帯電話機３１においては、２つの筐体３３，３４が閉じた状態で第２の筐体３４の背面３４ｂを載置面として卓上に置いたときにも、放音口４７が形成されている突出部３６が、第２の筐体３４の背面３４ｂと接する面４３との間に空隙部４４が形成されるように配置されているので、スピーカ５８から出力される音が空隙部４４を通じて外部に伝えられ、使用者が音を確実に聞くことができる。
【００１８】
なお、上記の実施の形態においては、携帯電話機について説明したが、少なくとも２つの筐体を折り畳み自在に連結する構成を備えていればよく、例えば、ＰＤＡ、デジタルカメラ等の他の携帯電子機器であっても構わない。
また、上記の実施の形態においては、吸音材としてポリウレタン製のスポンジを用いて説明したが、ポリエチレンやゴム等の弾性体で構成されていれば良い。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００１９】
【図１】本発明の一実施形態に係る携帯電話機を構成する２つの筐体を相互に開いた状態を示す斜視図である。
【図２】本発明の一実施形態に係る携帯電話機を構成する２つの筐体を閉じた状態を示す斜視図である。
【図３】本発明の一実施形態に係る携帯電話機を構成する２つの筐体を閉じた状態での連結部側からの見た正面図である。
【図４】本発明の一実施形態に係る携帯電話機を構成する２つの筐体を閉じた状態での第２の筐体の背面側から見た正面図である。
【図５】本発明の一実施形態に係る携帯電話機を構成する２つの筐体を閉じた状態での連結部の断面図である。
【図６】本発明の一実施形態に係る携帯電話機を構成する２つの筐体を開いた状態での連結部の断面図である。
【図７】従来の携帯電話機を構成する２つの筐体を開いた状態としたときの説明図である。
【符号の説明】
【００２０】
３３  第１の筐体
３４  第２の筐体
３６  突出部
４０  切欠部
４７  放音口
５０  放音面
５８  スピーカ
６３  導音部材（導音部）
６７  スポンジ（吸音材）
【図１】
2006101124.tif 000003
【図２】
2006101124.tif 000004
【図３】
2006101124.tif 000005
【図４】
2006101124.tif 000006
【図５】
2006101124.tif 000007
【図６】
2006101124.tif 000008
【図７】
2006101124.tif 000009